(57)【要約】【課題】無線ＬＡＮアクセスポイント２０が、現時点の無線ＬＡＮアクセスポイント２０自身の設定と同一の設定を無線ＬＡＮコントローラ１０から受信しても、無線ＬＡＮクライアント３０ａ、３０ｂとの無線通信を停止しないようにする。【解決手段】無線ＬＡＮコントローラ１０から設定内容を受信する無線ＬＡＮアクセスポイント２０が、既に無線ＬＡＮアクセスポイント２０に設定されている現行設定内容を記録するコンフィグ記録部２３と、無線ＬＡＮコントローラ１０から設定内容のハッシュ値を受信するハッシュ受信部２０４と、現行設定内容のハッシュ値である現行ハッシュ値と、受信したハッシュ値とを比較するハッシュ比較部２０８とを備える。現行ハッシュ値と受信したハッシュ値とが一致する場合には、無線ＬＡＮアクセスポイント２０の設定を現行設定内容のままとし、かつ無線通信部２２による通信を続行する。【選択図】図２
2017028610.tif 000002
【特許請求の範囲】
【請求項１】
無線ＬＡＮコントローラと、無線ＬＡＮアクセスポイントとを備える無線ＬＡＮシステムであって、
（１）前記無線ＬＡＮコントローラが、
前記無線ＬＡＮアクセスポイントに設定する設定内容を、前記無線ＬＡＮアクセスポイントに送信する設定内容送信部と、
前記設定内容のハッシュ値を前記無線ＬＡＮアクセスポイントに送信するハッシュ送信部と、
を有し、
（２）前記無線ＬＡＮアクセスポイントが、
前記無線ＬＡＮアクセスポイントの設定を行う設定部と、
既に前記無線ＬＡＮアクセスポイントに設定されている現行設定内容を記録する現行設定内容記録部と、
無線ＬＡＮクライアントと通信を行う無線通信部と、
前記無線ＬＡＮコントローラから、前記設定内容のハッシュ値を受信するハッシュ受信部と、
前記現行設定内容のハッシュ値である現行ハッシュ値と、受信した前記ハッシュ値とを比較するハッシュ比較部と、
を有し、
前記現行ハッシュ値と前記ハッシュ値とが一致する場合には、前記無線ＬＡＮアクセスポイントの設定を前記現行設定内容のままとし、かつ前記無線通信部による通信を続行する、
無線ＬＡＮシステム。
【請求項２】
請求項１に記載の無線ＬＡＮシステムであって、
前記無線ＬＡＮコントローラが、
前記無線ＬＡＮアクセスポイントから、前記設定内容送信部からの送信に沿った設定が前記無線ＬＡＮアクセスポイントにおいてなされている旨の設定完了通知を受信する設定完了通知受信部を備え、
前記設定内容送信部は、前記設定完了通知受信部が前記設定完了通知を受信した場合には、前記設定内容を送信しない、
無線ＬＡＮシステム。
【請求項３】
請求項１に記載の無線ＬＡＮシステムであって、
前記無線ＬＡＮアクセスポイントが、
前記現行ハッシュ値と前記ハッシュ値とが一致しない場合は、前記無線通信部による通信の停止後に、前記設定部が、前記無線ＬＡＮコントローラから受信した前記設定内容に沿って設定を行い、その後に前記無線通信部による通信が再開される、
無線ＬＡＮシステム。
【請求項４】
無線ＬＡＮコントローラから設定内容を受信する無線ＬＡＮアクセスポイントであって、
前記無線ＬＡＮアクセスポイントの設定を行う設定部と、
既に前記無線ＬＡＮアクセスポイントに設定されている現行設定内容を記録する現行設定内容記録部と、
無線ＬＡＮクライアントと通信を行う無線通信部と、
前記無線ＬＡＮコントローラから、前記設定内容のハッシュ値を受信するハッシュ受信部と、
前記現行設定内容のハッシュ値である現行ハッシュ値と、受信した前記ハッシュ値とを比較するハッシュ比較部と、
を備え、
前記現行ハッシュ値と前記ハッシュ値とが一致する場合には、前記無線ＬＡＮアクセスポイントの設定を前記現行設定内容のままとし、かつ前記無線通信部による通信を続行する、
無線ＬＡＮアクセスポイント。
【請求項５】
請求項４に記載の無線ＬＡＮアクセスポイントであって、
前記現行ハッシュ値と前記ハッシュ値とが一致しない場合は、前記無線通信部による通信の停止後に、前記設定部が、前記無線ＬＡＮコントローラから受信した前記設定内容に沿って設定を行い、その後に前記無線通信部による通信が再開される、
無線ＬＡＮアクセスポイント。
【請求項６】
無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部とを有する無線ＬＡＮアクセスポイントにおける設定を行う無線ＬＡＮアクセスポイント設定方法であって、
前記無線ＬＡＮコントローラから、前記設定内容のハッシュ値を受信するハッシュ受信工程と、
前記現行設定内容のハッシュ値である現行ハッシュ値と、受信した前記ハッシュ値とを比較するハッシュ比較工程と、
を備え、
前記現行ハッシュ値と前記ハッシュ値とが一致する場合には、前記無線ＬＡＮアクセスポイントの設定を前記現行設定内容のままとし、かつ前記無線通信部による通信を続行する、
無線ＬＡＮアクセスポイント設定方法。
【請求項７】
無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部とを有する無線ＬＡＮアクセスポイントにおける設定処理をコンピュータに実行させるためのプログラムであって、
前記設定処理は、
前記無線ＬＡＮコントローラから、前記設定内容のハッシュ値を受信するハッシュ受信工程と、
前記現行設定内容のハッシュ値である現行ハッシュ値と、受信した前記ハッシュ値とを比較するハッシュ比較工程と、
を備え、
前記現行ハッシュ値と前記ハッシュ値とが一致する場合には、前記無線ＬＡＮアクセスポイントの設定を前記現行設定内容のままとし、かつ前記無線通信部による通信を続行する、
プログラム。
【請求項８】
無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部とを有する無線ＬＡＮアクセスポイントにおける設定処理をコンピュータに実行させるためのプログラムを記録したコンピュータによって読み取り可能な記録媒体であって、
前記設定処理は、
前記無線ＬＡＮコントローラから、前記設定内容のハッシュ値を受信するハッシュ受信工程と、
前記現行設定内容のハッシュ値である現行ハッシュ値と、受信した前記ハッシュ値とを比較するハッシュ比較工程と、
を備え、
前記現行ハッシュ値と前記ハッシュ値とが一致する場合には、前記無線ＬＡＮアクセスポイントの設定を前記現行設定内容のままとし、かつ前記無線通信部による通信を続行する、
記録媒体。
【発明の詳細な説明】
【技術分野】
【０００１】
本発明は、無線ＬＡＮコントローラによる無線ＬＡＮアクセスポイントの設定の管理に関する。
【背景技術】
【０００２】
従来より、無線ＬＡＮコントローラが無線ＬＡＮアクセスポイントを管理することが知られている（例えば、特許文献１の[0008]参照）。
【０００３】
無線ＬＡＮアクセスポイントは、動作用の設定を無線ＬＡＮコントローラから受信し、無線ＬＡＮアクセスポイント自らの動作設定を行う。動作設定の際に、無線ＬＡＮアクセスポイントは、アクセスポイントの機能を停止（例えば、無線ＬＡＮクライアントとの無線通信を停止）する。
【０００４】
なお、特に無線ＬＡＮとは関係ないが、コンテンツの配信については、特許文献２に記載がある。
【先行技術文献】
【特許文献】
【０００５】
【特許文献１】特開２００７−１６６４６４号公報
【特許文献２】特開２００２−３１８７１６号公報
【発明の概要】
【発明が解決しようとする課題】
【０００６】
しかしながら、無線ＬＡＮアクセスポイントは、現時点の無線ＬＡＮアクセスポイント自身の設定と同一の設定を無線ＬＡＮコントローラから受信することがある。このような場合であっても（本来、設定を行う必要が無いにも関わらず）、無線ＬＡＮアクセスポイントは、無線ＬＡＮクライアントとの無線通信を停止して、動作設定を行う。すなわち、無線ＬＡＮアクセスポイントが、無線ＬＡＮクライアントとの無線通信を無駄に停止するという問題が生じることがある。
【０００７】
そこで、本発明は、無線ＬＡＮアクセスポイントが、現時点の無線ＬＡＮアクセスポイント自身の設定と同一の設定を無線ＬＡＮコントローラから受信しても、無線ＬＡＮクライアントとの無線通信を停止しないようにすることを課題とする。
【課題を解決するための手段】
【０００８】
本発明にかかる無線ＬＡＮシステムは、無線ＬＡＮコントローラと、無線ＬＡＮアクセスポイントとを備える無線ＬＡＮシステムであって、（１）前記無線ＬＡＮコントローラが、前記無線ＬＡＮアクセスポイントに設定する設定内容を、前記無線ＬＡＮアクセスポイントに送信する設定内容送信部と、前記設定内容のハッシュ値を前記無線ＬＡＮアクセスポイントに送信するハッシュ送信部とを有し、（２）前記無線ＬＡＮアクセスポイントが、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部と、前記無線ＬＡＮコントローラから、前記設定内容のハッシュ値を受信するハッシュ受信部と、前記現行設定内容のハッシュ値である現行ハッシュ値と、受信した前記ハッシュ値とを比較するハッシュ比較部とを有し、前記現行ハッシュ値と前記ハッシュ値とが一致する場合には、前記無線ＬＡＮアクセスポイントの設定を前記現行設定内容のままとし、かつ前記無線通信部による通信を続行するように構成される。
【０００９】
上記のように構成された無線ＬＡＮシステムによれば、無線ＬＡＮコントローラと、無線ＬＡＮアクセスポイントとを備える無線ＬＡＮシステムが提供される。（１）前記無線ＬＡＮコントローラにおいては、設定内容送信部が、前記無線ＬＡＮアクセスポイントに設定する設定内容を、前記無線ＬＡＮアクセスポイントに送信する。ハッシュ送信部が、前記設定内容のハッシュ値を前記無線ＬＡＮアクセスポイントに送信する。（２）前記無線ＬＡＮアクセスポイントにおいては、設定部が、前記無線ＬＡＮアクセスポイントの設定を行う。現行設定内容記録部が、既に前記無線ＬＡＮアクセスポイントに設定されている現行設定内容を記録する。無線通信部が、無線ＬＡＮクライアントと通信を行う。ハッシュ受信部が、前記無線ＬＡＮコントローラから、前記設定内容のハッシュ値を受信する。ハッシュ比較部が、前記現行設定内容のハッシュ値である現行ハッシュ値と、受信した前記ハッシュ値とを比較する。前記現行ハッシュ値と前記ハッシュ値とが一致する場合には、前記無線ＬＡＮアクセスポイントの設定を前記現行設定内容のままとし、かつ前記無線通信部による通信を続行する。
【００１０】
なお、本発明にかかる無線ＬＡＮシステムは、前記無線ＬＡＮコントローラが、前記無線ＬＡＮアクセスポイントから、前記設定内容送信部からの送信に沿った設定が前記無線ＬＡＮアクセスポイントにおいてなされている旨の設定完了通知を受信する設定完了通知受信部を備え、前記設定内容送信部は、前記設定完了通知受信部が前記設定完了通知を受信した場合には、前記設定内容を送信しないようにしてもよい。
【００１１】
なお、本発明にかかる無線ＬＡＮシステムは、前記無線ＬＡＮアクセスポイントが、前記現行ハッシュ値と前記ハッシュ値とが一致しない場合は、前記無線通信部による通信の停止後に、前記設定部が、前記無線ＬＡＮコントローラから受信した前記設定内容に沿って設定を行い、その後に前記無線通信部による通信が再開されるようにしてもよい。
【００１２】
本発明にかかる無線ＬＡＮアクセスポイントは、無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部と、前記無線ＬＡＮコントローラから、前記設定内容のハッシュ値を受信するハッシュ受信部と、前記現行設定内容のハッシュ値である現行ハッシュ値と、受信した前記ハッシュ値とを比較するハッシュ比較部とを備え、前記現行ハッシュ値と前記ハッシュ値とが一致する場合には、前記無線ＬＡＮアクセスポイントの設定を前記現行設定内容のままとし、かつ前記無線通信部による通信を続行するように構成される。
【００１３】
上記のように構成された無線ＬＡＮアクセスポイントによれば、無線ＬＡＮコントローラから設定内容を受信する無線ＬＡＮアクセスポイントが提供される。設定部は、前記無線ＬＡＮアクセスポイントの設定を行う。現行設定内容記録部は、既に前記無線ＬＡＮアクセスポイントに設定されている現行設定内容を記録する。無線通信部は、無線ＬＡＮクライアントと通信を行う。ハッシュ受信部は、前記無線ＬＡＮコントローラから、前記設定内容のハッシュ値を受信する。ハッシュ比較部は、前記現行設定内容のハッシュ値である現行ハッシュ値と、受信した前記ハッシュ値とを比較する。前記現行ハッシュ値と前記ハッシュ値とが一致する場合には、前記無線ＬＡＮアクセスポイントの設定を前記現行設定内容のままとし、かつ前記無線通信部による通信を続行する。
【００１４】
なお、本発明にかかる無線ＬＡＮアクセスポイントは、前記現行ハッシュ値と前記ハッシュ値とが一致しない場合は、前記無線通信部による通信の停止後に、前記設定部が、前記無線ＬＡＮコントローラから受信した前記設定内容に沿って設定を行い、その後に前記無線通信部による通信が再開されるようにしてもよい。
【００１５】
本発明は、無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部とを有する無線ＬＡＮアクセスポイントにおける設定を行う無線ＬＡＮアクセスポイント設定方法であって、前記無線ＬＡＮコントローラから、前記設定内容のハッシュ値を受信するハッシュ受信工程と、前記現行設定内容のハッシュ値である現行ハッシュ値と、受信した前記ハッシュ値とを比較するハッシュ比較工程と、を備え、前記現行ハッシュ値と前記ハッシュ値とが一致する場合には、前記無線ＬＡＮアクセスポイントの設定を前記現行設定内容のままとし、かつ前記無線通信部による通信を続行する無線ＬＡＮアクセスポイント設定方法である。
【００１６】
本発明は、無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部とを有する無線ＬＡＮアクセスポイントにおける設定処理をコンピュータに実行させるためのプログラムであって、前記設定処理は、前記無線ＬＡＮコントローラから、前記設定内容のハッシュ値を受信するハッシュ受信工程と、前記現行設定内容のハッシュ値である現行ハッシュ値と、受信した前記ハッシュ値とを比較するハッシュ比較工程とを備え、前記現行ハッシュ値と前記ハッシュ値とが一致する場合には、前記無線ＬＡＮアクセスポイントの設定を前記現行設定内容のままとし、かつ前記無線通信部による通信を続行するプログラムである。
【００１７】
本発明は、無線ＬＡＮコントローラから設定内容を受信する無線ＬＡＮアクセスポイントであって、前記無線ＬＡＮアクセスポイントの設定を行う設定部と、既に前記無線ＬＡＮアクセスポイントに設定されている現行設定内容を記録する現行設定内容記録部と、無線ＬＡＮクライアントと通信を行う無線通信部とを有する無線ＬＡＮアクセスポイントにおける設定処理をコンピュータに実行させるためのプログラムを記録したコンピュータによって読み取り可能な記録媒体であって、前記設定処理は、前記無線ＬＡＮコントローラから、前記設定内容のハッシュ値を受信するハッシュ受信工程と、前記現行設定内容のハッシュ値である現行ハッシュ値と、受信した前記ハッシュ値とを比較するハッシュ比較工程とを備え、前記現行ハッシュ値と前記ハッシュ値とが一致する場合には、前記無線ＬＡＮアクセスポイントの設定を前記現行設定内容のままとし、かつ前記無線通信部による通信を続行する記録媒体である。
【図面の簡単な説明】
【００１８】
【図１】本発明の実施形態にかかる無線ＬＡＮシステムを示す図である。
【図２】本発明の実施形態にかかる無線ＬＡＮコントローラ１０および無線ＬＡＮアクセスポイント２０の構成を示す機能ブロック図である。
【図３】本発明の実施形態にかかる無線ＬＡＮコントローラ１０および無線ＬＡＮアクセスポイント２０の動作を示すフローチャートである。
【図４】本発明の実施形態と対比する比較例の動作を示すフローチャートである。
【発明を実施するための形態】
【００１９】
以下、本発明の実施形態を図面を参照しながら説明する。
【００２０】
図１は、本発明の実施形態にかかる無線ＬＡＮシステムを示す図である。
【００２１】
本発明の実施形態にかかる無線ＬＡＮシステムは、無線ＬＡＮコントローラ１０および無線ＬＡＮアクセスポイント２０、無線ＬＡＮクライアント３０ａ、３０ｂを備える。なお、図面においては、「無線ＬＡＮ」の表記を省略し、コントローラ１０、アクセスポイント２０およびクライアント３０ａ、３０ｂと表記することがある。
【００２２】
無線ＬＡＮアクセスポイント２０は、無線ＬＡＮクライアント３０ａおよび３０ｂとの間で無線通信を行う。例えば、無線ＬＡＮクライアント３０ａは、無線ＬＡＮアクセスポイント２０を介して、無線ＬＡＮクライアント３０ｂとの間で無線通信を行うことができる。
【００２３】
無線ＬＡＮアクセスポイント２０は、無線ＬＡＮコントローラ１０から設定内容（コンフィグ）を受信する。無線ＬＡＮアクセスポイント２０は、受信した設定内容に沿って、無線ＬＡＮアクセスポイント２０自身の設定を行う。設定内容とは、例えば、ＳＳＩＤ、無線ＬＡＮクライアント３０ａ、３０ｂとの間で用いる無線通信の帯域（例えば、2.4GHzまたは5GHz）、認証方式および暗号方式などといった無線通信に関するデータである。
【００２４】
なお、無線ＬＡＮアクセスポイント２０は、無線ＬＡＮコントローラ１０から設定内容を有線通信により受信するが、無線通信により受信するようにしてもよい。
【００２５】
図２は、本発明の実施形態にかかる無線ＬＡＮコントローラ１０および無線ＬＡＮアクセスポイント２０の構成を示す機能ブロック図である。
【００２６】
無線ＬＡＮコントローラ１０は、コンフィグ生成部１２、コンフィグ送信部（設定内容送信部）１４、適用完了通知受信部（設定完了通知受信部）１６、ハッシュ生成部１０２、ハッシュ送信部１０４を有する。
【００２７】
コンフィグ生成部１２は、無線ＬＡＮアクセスポイント２０に設定する設定内容（コンフィグ）を生成する。
【００２８】
コンフィグ送信部（設定内容送信部）１４は、無線ＬＡＮアクセスポイント２０に設定する設定内容（コンフィグ）を、コンフィグ生成部１２から受けて、無線ＬＡＮアクセスポイント２０に送信する。
【００２９】
適用完了通知受信部（設定完了通知受信部）１６は、無線ＬＡＮアクセスポイント２０から適用完了通知（設定完了通知）を受信する。なお、適用完了通知（設定完了通知）とは、コンフィグ送信部１４からの送信に沿った設定が無線ＬＡＮアクセスポイント２０においてなされている旨を示す信号である。
【００３０】
適用完了通知受信部１６は、適用完了通知を受信した旨を、コンフィグ送信部１４に伝達する。この伝達を受けると、コンフィグ送信部１４は、コンフィグの送信を終了し、コンフィグの送信を行わない。
【００３１】
ハッシュ生成部１０２は、コンフィグをコンフィグ生成部１２から受けて、コンフィグのハッシュ値を生成する。
【００３２】
ハッシュ送信部１０４は、コンフィグのハッシュ値をハッシュ生成部１０２から受けて、無線ＬＡＮアクセスポイント２０に送信する。
【００３３】
無線ＬＡＮアクセスポイント２０は、無線通信部２２、コンフィグ記録部（現行設定内容記録部）２３、コンフィグ受信部２４、コンフィグ適用部（設定部）２５、適用完了通知送信部２６、ハッシュ受信部２０４、ハッシュ生成部２０６、ハッシュ比較部２０８を有する。
【００３４】
コンフィグ記録部（現行設定内容記録部）２３は、既に無線ＬＡＮアクセスポイント２０に設定されている設定内容（「現行設定内容」という）を記録する。
【００３５】
無線通信部２２は、無線ＬＡＮクライアント３０ａ、３０ｂと無線通信を行う。なお、無線通信部２２は、コンフィグ記録部２３に記録された現行設定内容にしたがって無線通信を行う。
【００３６】
コンフィグ受信部２４は、コンフィグ送信部１４から送信されてきたコンフィグを受信する。
【００３７】
コンフィグ適用部（設定部）２５は、無線ＬＡＮアクセスポイント２０の設定を行う。すなわち、コンフィグ適用部２５は、コンフィグを無線ＬＡＮアクセスポイント２０に適用する。なお、無線ＬＡＮアクセスポイント２０の設定の際、コンフィグ適用部２５は、設定の内容をコンフィグ記録部２３に上書きする。
【００３８】
適用完了通知送信部２６は、無線ＬＡＮアクセスポイント２０へ、適用完了通知を送信する。
【００３９】
ハッシュ受信部２０４は、無線ＬＡＮコントローラ１０から、コンフィグのハッシュ値を受信する。
【００４０】
ハッシュ生成部２０６は、現行設定内容をコンフィグ記録部２３から読み出し、現行設定内容のハッシュ値である現行ハッシュ値を生成する。
【００４１】
ハッシュ比較部２０８は、ハッシュ生成部２０６から現行ハッシュ値を受け、ハッシュ受信部２０４が受信したハッシュ値と比較する。現行ハッシュ値とハッシュ受信部２０４が受信したハッシュ値とが一致するということは、現行設定内容とコンフィグ送信部１４により送信されるコンフィグとが同一であるということを意味する。
【００４２】
現行ハッシュ値とハッシュ受信部２０４が受信したハッシュ値とが一致する場合には、ハッシュ生成部２０６がその旨を、適用完了通知送信部２６に伝達する。適用完了通知送信部２６は、この伝達を受けて、適用完了通知を送信する。なお、この場合、無線ＬＡＮアクセスポイント２０の設定はコンフィグ記録部２３に記録された現行設定内容のままとし、かつ無線通信部２２による無線ＬＡＮクライアント３０ａ、３０ｂとの無線通信は続行される。
【００４３】
現行ハッシュ値とハッシュ受信部２０４が受信したハッシュ値とが一致しない場合は、ハッシュ生成部２０６がその旨を、コンフィグ適用部２５に伝達する。コンフィグ適用部２５は、無線通信部２２による無線通信を停止させる。その後に、コンフィグ適用部２５は、無線ＬＡＮコントローラ１０から受信した設定内容に沿って設定を行う。最後に、コンフィグ適用部２５は、無線通信部２２による無線通信を再開させる。
【００４４】
次に、本発明の実施形態の動作を説明する。
【００４５】
図３は、本発明の実施形態にかかる無線ＬＡＮコントローラ１０および無線ＬＡＮアクセスポイント２０の動作を示すフローチャートである。
【００４６】
まず、無線ＬＡＮコントローラ１０のコンフィグ生成部１２がコンフィグを生成し、コンフィグ送信部１４に与える。また、コンフィグ生成部１２はコンフィグをハッシュ生成部１０２に与える。ハッシュ生成部１０２により、コンフィグのハッシュ値が生成される（Ｓ１２）。
【００４７】
生成されたコンフィグのハッシュ値は、ハッシュ送信部１０４により、無線ＬＡＮアクセスポイント２０に送信される（Ｓ１４）。
【００４８】
無線ＬＡＮアクセスポイント２０のハッシュ受信部２０４が、無線ＬＡＮコントローラ１０からハッシュ値を受信する（Ｓ２４）。
【００４９】
ハッシュ生成部２０６が、既に無線ＬＡＮアクセスポイント２０に設定されている設定内容である現行設定内容をコンフィグ記録部２３から読み出し、現行設定内容のハッシュ値である現行ハッシュ値を生成する。
【００５０】
ハッシュ比較部２０８は、ハッシュ生成部２０６から現行ハッシュ値を受け、ハッシュ受信部２０４が受信したハッシュ値と比較する（Ｓ２５）。
【００５１】
（Ａ）現行ハッシュ値と受信したハッシュ値とが一致しない場合の処理
現行ハッシュ値と受信したハッシュ値とが一致しない場合は（Ｓ２５、Ｎｏ）、ハッシュ比較部２０８がその旨を、コンフィグ適用部２５に伝達する。コンフィグ適用部２５は、無線をＯＦＦにする（Ｓ２６ａ）。すなわち、コンフィグ適用部２５は、無線通信部２２による無線通信を停止させる。
【００５２】
無線ＬＡＮコントローラ１０においては、ハッシュ送信部１０４からのハッシュ値の送信に引き続き、コンフィグ送信部１４からコンフィグが送信される（Ｓ１６）。
【００５３】
コンフィグ送信部１４から送信されたコンフィグは、無線ＬＡＮアクセスポイント２０のコンフィグ受信部２４により受信される（Ｓ２６ｂ）。
【００５４】
その後、コンフィグ適用部２５は、無線ＬＡＮコントローラ１０から受信した設定内容（コンフィグ）をコンフィグ受信部２４から受け、それを無線ＬＡＮアクセスポイント２０に適用する（Ｓ２６ｃ）。すなわち、コンフィグ適用部２５は、コンフィグ受信部２４が無線ＬＡＮコントローラ１０から受信した設定内容（コンフィグ）に沿って設定を行う。
【００５５】
設定完了の後、コンフィグ適用部２５は、無線通信部２２による無線通信を再開させ（無線ＯＮ）（Ｓ２６ｄ）、設定完了の旨を適用完了通知送信部２６に伝達する。適用完了通知送信部２６は、この伝達を受け適用完了通知（設定完了通知）を送信する（Ｓ２８）。
【００５６】
無線ＬＡＮコントローラ１０の適用完了通知受信部１６は、適用完了通知を受信する（Ｓ１８）。
【００５７】
（Ｂ）現行ハッシュ値と受信したハッシュ値とが一致する場合の処理
現行ハッシュ値と受信したハッシュ値とが一致する場合は（Ｓ２５、Ｙｅｓ）、ハッシュ比較部２０８がその旨を、適用完了通知送信部２６に伝達する。適用完了通知送信部２６は、この伝達を受けて、適用完了通知を送信する（Ｓ２８）。適用完了通知受信部１６は、適用完了通知を受信する（Ｓ１８）。
【００５８】
なお、ハッシュ値の比較（Ｓ２５、Ｙｅｓ）から適用完了通知の送信（Ｓ２８）までの間においては、無線通信部２２による無線ＬＡＮクライアント３０ａ、３０ｂとの無線通信は続行される（無線ＯＮのまま）。また、無線ＬＡＮアクセスポイント２０の設定はコンフィグ記録部２３に記録された現行設定内容のままである。
【００５９】
無線ＬＡＮコントローラ１０におけるハッシュ送信部１０４からのハッシュ値の送信に引き続き、コンフィグ送信部１４からはコンフィグが送信される（Ｓ１６）。このコンフィグは、コンフィグ受信部２４により受信されるものの（Ｓ２６ｂ）、コンフィグ適用部２５がコンフィグ受信部２４の受信内容に沿った設定（Ｓ２６ｃ）を行うことはない。
【００６０】
本発明の実施形態によれば、無線ＬＡＮアクセスポイント２０が、現時点の無線ＬＡＮアクセスポイント２０自身の設定と同一の設定を無線ＬＡＮコントローラ１０から受信しても、無線ＬＡＮクライアント３０ａ、３０ｂとの無線通信を停止しない。
【００６１】
すなわち、現時点の無線ＬＡＮアクセスポイント２０自身の設定と同一の設定を無線ＬＡＮコントローラ１０から受信するということは、現行設定内容とコンフィグ送信部１４により送信されるコンフィグとが同一であるということを意味する。これは、さらにハッシュ生成部２０６が生成した現行ハッシュ値とハッシュ受信部２０４が受信したハッシュ値とが一致する（Ｓ２５、Ｙｅｓ）ということである。この場合、無線通信部２２による無線ＬＡＮクライアント３０ａ、３０ｂとの無線通信は続行される（無線ＯＮのまま）。そもそも、無線ＬＡＮアクセスポイント２０の設定はコンフィグ記録部２３に記録された現行設定内容のままなので、無線ＯＦＦ（Ｓ２６ａ）を行ってまで、コンフィグ適用（Ｓ２６ｃ）を行う必要が無い。
【００６２】
本発明の実施形態を比較例と対比することで、本発明の実施形態の効果をさらに説明する。
【００６３】
図４は、本発明の実施形態と対比する比較例の動作を示すフローチャートである。図４における比較例においては、無線ＬＡＮコントローラ１０にハッシュ生成部１０２およびハッシュ送信部１０４が無く、無線ＬＡＮアクセスポイント２０にハッシュ受信部２０４、ハッシュ生成部２０６およびハッシュ比較部２０８が無いものを想定している。
【００６４】
なお、図４においては、図３と同様な工程は図３と同じ符号を付して詳細な説明を省略する。
【００６５】
まず、無線ＬＡＮコントローラ１０において、コンフィグ送信部１４からコンフィグが送信される（Ｓ１６）。
【００６６】
次に、コンフィグ送信部１４から送信されたコンフィグは、無線ＬＡＮアクセスポイント２０のコンフィグ受信部２４により受信される（Ｓ２６ｂ）。コンフィグ適用部２５は、無線をＯＦＦにする（Ｓ２６ｂ−１）（図３のＳ２６ａに相当）。すなわち、コンフィグ適用部２５は、無線通信部２２による無線通信を停止させる。なお、比較例における無線ＯＦＦ（Ｓ２６ｂ−１）は、現行設定内容とコンフィグ送信部１４により送信されるコンフィグとが同一であっても行われることに留意されたい。
【００６７】
その後、コンフィグ適用（Ｓ２６ｃ）、無線通信の再開（無線ＯＮ）（Ｓ２６ｄ）、適用完了通知の送信（Ｓ２８）が図３と同様に、無線ＬＡＮアクセスポイント２０において行われる。
【００６８】
さらに、無線ＬＡＮコントローラ１０の適用完了通知受信部１６は、適用完了通知を受信する（Ｓ１８）。
【００６９】
図４に示す比較例によれば、現行設定内容とコンフィグ送信部１４により送信されるコンフィグとが同一であっても無線ＯＦＦ（Ｓ２６ｂ−１）が行われる。しかし、本発明の実施形態によれば、現行設定内容とコンフィグ送信部１４により送信されるコンフィグとが同一であれば、無線ＯＦＦ（Ｓ２６ａ）（図３参照）は行われないので、必要も無い無駄な無線ＯＦＦを回避できる。
【００７０】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えば無線ＬＡＮコントローラ１０または無線ＬＡＮアクセスポイント２０の各部分を実現するプログラムを記録したメディアを読み取らせて、ハードディスクにインストールする。このような方法でも、上記の機能を実現できる。
【符号の説明】
【００７１】
１０  無線ＬＡＮコントローラ
１２  コンフィグ生成部
１４  コンフィグ送信部（設定内容送信部）
１６  適用完了通知受信部（設定完了通知受信部）
１０２  ハッシュ生成部
１０４  ハッシュ送信部
２０  無線ＬＡＮアクセスポイント
２２  無線通信部
２３  コンフィグ記録部（現行設定内容記録部）
２４  コンフィグ受信部
２５  コンフィグ適用部（設定部）
２６  適用完了通知送信部
２０４  ハッシュ受信部
２０６  ハッシュ生成部
２０８  ハッシュ比較部
【図１】
2017028610.tif 000003
【図２】
2017028610.tif 000004
【図３】
2017028610.tif 000005
【図４】
2017028610.tif 000006